【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
ガラス板を熱処理するための方法において、順に、
（ａ）複数枚のガラス板を、
（ｉ）処理空間を定め、天面、底面、並びに第１、第２、第３及び第４の垂直側面を有する、箱形の開放フレームであって、前記第１及び前記第２の垂直側面は前記フレームの対向する側面であるフレーム、
（ii）前記フレームの前記第１の垂直側面に取り付けられた第１の垂直部材のセット及び前記フレームの前記第２の垂直側面に取り付けられた第２の垂直部材のセットを有する、前記ガラス板のための側端支持システムであって、前記第１の垂直部材のセットは前記フレームの前記第１の垂直側面に沿って延びる第１のガラス受けスペースのセットを形成し、前記第２の垂直部材のセットは前記フレームの前記第２の垂直側面に沿って延びる第２のガラス受けスペースのセットを形成し、前記第１及び前記第２のガラス受けスペースのセットは個々のガラス板の対向する側端領域を受けるために対をなして位置合せされるシステム、及び
（iii）前記フレームの前記底面に取り付けられた、前記ガラス板のための底端支持システム、
を有する熱処理治具を用いて縦位置で保持する工程、
（ｂ）前記処理空間を通し、前記複数枚のガラス板の主表面にかけて、加熱ガスを流して、前記ガラス板の温度を処理温度Ｔ処理まで高める工程、及び
（ｃ）前記処理空間を通し、前記複数枚のガラス板の主表面にかけて、冷却ガスを流して、前記ガラス板の温度をハンドリング温度Ｔハンドリングまで低める工程、
を含み、
（ｉ）前記ガラス板は、前記ハンドリング温度において幅Ｗ１及び前記処理温度において幅Ｗ２を有し、Ｗ２はＷ１より大きい、
（ii）それぞれの前記ガラス受けスペースは内向端及び外向端を有し、前記内向端は前記フレームの前記対向する垂直側面に近い側にあり、前記外向端は前記フレームの前記対向する垂直側面から遠い側にある、
（iii）前記第１のガラス受けスペースのセットの前記外向端は前記第２のガラス受けスペースのセットの前記外向端から、前記ハンドリング温度において距離Ｏ１及び前記処理温度において距離Ｏ２で隔てられ、Ｏ２はＯ１より大きい、
（iv）前記第１のガラス受けスペースのセットの前記内向端は前記第２のガラス受けスペースのセットの前記内向端から、前記ハンドリング温度において距離Ｉ１及び前記処理温度において距離Ｉ２で隔てられ、Ｉ２はＩ１より大きい、
（ｖ）前記ガラス板は、前記工程（ｂ）において、前記フレームがＴ処理に達する前に前記ガラス板がＴ処理に達するようなレートで加熱される、
（vi）前記ガラス板は、前記工程（ｃ）において、前記フレームがＴハンドリングに達する前に前記ガラス板がＴハンドリングに達するようなレートで冷却される、及び
（vii）Ｗ１，Ｗ２，Ｏ１及びＩ２は、関係式：
Ｏ１＞Ｗ２，
Ｗ２＞Ｉ２，及び
Ｉ２＞Ｗ１，
を満たす、
ことを特徴とする方法。
【請求項２】
室温において、Ｗ１，Ｏ１及びＩ１が関係式：
(Ｏ１−Ｗ１)/Ｗ１≧０.０２，及び
(Ｗ１−Ｉ１)/Ｗ１≧０.０４，
を満たすことを特徴とする請求項１に記載の方法。
【請求項３】
請求項１または２に記載の方法において、
（ｉ）前記処理空間は面積がＡ天面の開放天面及び面積がＡ底面の開放底面を有する、
（ii）前記底端支持システムはガスのＡ底面の全てではないがいくらかの面積における流過を遮断し、ガス流過のために開いたままのＡ底面の前記部分はＡ底面の少なくとも７５％である、
（iii）前記工程（ｂ）において、前記加熱ガスは、Ａ天面及びＡ底面の前記開放部分を用いて処理空間を通して前記加熱ガスを流すことにより、前記ガラス板の主表面にかけて流される、
（iv）前記工程（ｃ）において、前記冷却ガスは、Ａ天面及びＡ底面の前記開放部分を用いて前記処理空間を通して冷却ガスを流すことにより、前記ガラス板の主表面にかけて流される、及び
（ｖ）前記第１及び前記第２の垂直部材のセットは、前記ガラス板の主表面にかかる前記加熱ガスの前記流過の結果としての前記ガラス板の振動を低減するため、前記加熱処理中、前記ガラス板の前記垂直側端を実質的にその全長に沿ってクランプする、
ことを特徴とする方法。
【請求項４】
請求項１または２に記載の方法において、
（ｉ）それぞれの前記垂直部材は、前記処理空間に延び込み、相互に水平方向に張り広げられた、２本のアームを含む水平断面を有する、及び
（ii）前記ガラス板の前記垂直側端は隣接する前記垂直部材の前記アームの間にクランプされる、
ことを特徴とする方法。
【請求項５】
前記工程（ａ）に先立ち、前記複数枚のガラス板が、前記ガラス板の底端を前記底端支持システムに載せて連続する位置合せされた前記ガラス受けスペース対に個々の前記ガラス板を次々に滑らせて入れるロボットを用いて、前記フレームに挿入されることを特徴とする請求項１または２に記載に方法。
【請求項６】
複数枚のガラス板を熱処理中に縦位置で保持するための装置において、
（ａ）天面、底面、並びに第１、第２、第３及び第４の垂直側面を有する箱形フレームであって、前記第１及び前記第２の垂直側面は前記フレームの対向する側面である箱形フレーム、
（ｂ）前記フレームの前記第１の垂直側面に取り付けられた第１の垂直部材のセット及び前記フレームの前記第２の垂直側面に取り付けられた第２の垂直部材のセットを有する支持システムであって、前記第１の垂直部材のセットは前記フレームの前記第１の垂直側面上に第１のガラス受けスペースのセットを形成し、前記第２の垂直部材のセットは前記フレームの前記第２の垂直側面上に第２のガラス受けスペースのセットを形成し、前記第１及び前記第２のガラス受けスペースのセットは前記装置の使用中に個々の前記ガラス板の対向する側端領域を受けるために対をなして位置合せされる支持システム、及び
（ｃ）前記フレームの前記底面に取り付けられた、前記装置の使用中に前記ガラス板の底端を係合する、底端支持システム、
を備え、
（ｉ）それぞれの前記垂直部材は相互に水平方向に張り広げられた、２本のアームを含む水平断面を有する、
（ii）前記第１の垂直部材のセットのそれぞれの前記垂直部材は、そのアームを前記フレームの前記第２の垂直側面に向けて延ばして、前記フレームの前記第１の垂直側面に取り付けられる、
（iii）前記第２の垂直部材のセットのそれぞれの前記垂直部材は、そのアームを前記フレームの前記第１の垂直側面に向けて延ばして、前記フレームの前記第２の垂直側面に取り付けられる、及び
（iv）前記第１及び前記第２のガラス受けスペースのセットはそれぞれ、隣接する前記垂直部材のアームによって形成される、
ことを特徴とする装置。
【請求項７】
前記垂直部材の前記アームが前記装置の使用中に前記ガラス板の主表面に接触するリップを有することを特徴とする請求項６に記載の装置。
【請求項８】
前記垂直部材の前記アームが前記装置の使用中に前記ガラス板の主表面と線接触することを特徴とする請求項６または７に記載の装置。
【請求項９】
前記垂直部材が、ガラス板をクランプしていないときには隣接する部材の前記アームが接触するように、相互に水平方向に隔てられることを特徴とする請求項６または７に記載の装置。
【請求項１０】
それぞれの前記垂直部材のそれぞれの前記アームの上部が隣接する前記垂直部材の間にガラス板を案内するために曲線状にされることを特徴とする請求項６または７に記載の装置。